(57)【要約】  フロアーパネル（１２）を互いに加圧するための工具（１０）であって、上記パネルの１つは他に対して固定され、工具の第１部品（１４）は面（２０）に対して衝合するための脚部（１８）を備え、工具の第２部品（１６）はフロアーパネルの最端部（１２ａ）に衝合するための頭部（２２）を備えており、かつ第２部品は第１部品に関連して可動であり、これは端部フロアーパネル上に力を及ぼすためである。
2008508455.tif 000002
【特許請求の範囲】
【請求項１】
固定されるべきフロアーパネルの１つを他方に対して所定位置に互いに加圧するための工具であって、上記工具の第１部品は１つの面に対して衝合するための脚部を備え、工具の第２部品はフロアーパネルの最端部に衝合するための頭部を備えており、かつ第２部品は第１部品に関連して可動であり、これは端部フロアーパネル上に力を及ぼすためである、工具。
【請求項２】
脚部は実質的に垂直な面に対して支持されている、請求項１に記載の工具。
【請求項３】
脚部は実質的に壁に対して支持されている、請求項２に記載の工具。
【請求項４】
工具は第１および第２部品に対して連結されている機構を備え、第２部品が第１部品に対して動くように作動可能である、請求項１ないし３の何れかに記載の工具。
【請求項５】
機構が空気圧駆動される、請求項４に記載の工具。
【請求項６】
機構が手動で駆動される、請求項４に記載の工具。
【請求項７】
機構が水圧駆動される、請求項４に記載の工具。
【請求項８】
機構が電気駆動される、請求項４に記載の工具。
【請求項９】
機構が手動可能なレバーを備えており、このレバーは工具の第１および第２部品の間に関節接続されていて第１部品に対して第２部品を動かす梃子を提供している、請求項６に記載の工具。
【請求項１０】
第１および第２部品がスリーブ嵌合構造であり
第２部品が第１部品に対して工具を延ばすためのレバーの動作に関連して可動である、請求項９に記載の工具。
【請求項１１】
頭部が幅を増すための取り外し可能な頭伸長部を含んでいて上記幅上で力が端部フロアーボード上に及ぼされる、請求項１ないし１０の何れかに記載の工具。
【請求項１２】
頭伸長部がその幅に沿う複数箇所で端部フロアーボードと接触するように構成されている、請求項１１に記載の工具。
【請求項１３】
頭部分がフロアーパネルの少なくとも１つを備えており、このフロアーパネルは端部フロアーボードに合わされるためのインターフェースとしてのものである、請求項１ないし１２の何れかに記載の工具。
【請求項１４】
フロアーパネルが舌および溝型フロアーパネルである、請求項１ないし１３の何れかに記載の工具。
【請求項１５】
第１部品が脚部の装着されている部分に対して伸長可能部分を含んでおり、かつ伸長可能部分が異なる場所にロックされて第１部品に異なる長さを提供する、請求項１ないし１４の何れかに記載の工具。
【請求項１６】
伸長可能部分がロックピン構造により異なる位置にロックされ得る、請求項１５に記載の工具。
【請求項１７】
伸長可能部分がアダプターを備えており、このアダプターは工具の端部の内側支持部分を持ち、端部フロアーパネルおよび上記面の間の距離が工具の長さより少ない状況で工具の使用を容易にするためにアダプターが所定位置となるように構成されている、請求項１３または１４に記載の工具。
【請求項１８】
支持部分がフロアーパネルの部分を備えており、これは端部フロアーパネルとの合致のためのインターフェースとしてのものである、請求項１７に記載の工具。
【請求項１９】
アダプターが他の伸長可能部分と交換可能である、請求項１７または１８に記載の工具。
【請求項２０】
工具が第１部品および第２部品の間の相対的動きをロックするためのロックを備えている、請求項１ないし１９の何れかに記載の工具。
【請求項２１】
相互の所定位置に固定されるべきフロアーパネルを共に加圧するための工具であって、工具の第１部品が投錨を提供するための脚部を備え、工具の第２部品がフロアーパネルの端部の１つと衝合するための間隔を隔てた衝合部付きの頭部を備え、かつ第２部品が端部フロアーパネル上に力を及ぼすために第１部品に対して可動とされている、工具。
【請求項２２】
衝合部間の間隔がフロアーパネルの上記端部の１つを下側にある面に対して固縛するためのアクセスを許容するように構成されている、請求項２１に記載の工具。
【請求項２３】
フロアーパネルがフロアーボードである、請求項１ないし２２の何れかに記載の工具。
【請求項２４】
相互の所定位置に固定されるべきフロアーパネルを加圧するための方法であって：
工具の第１部品の脚部を面に衝合させ；
工具の第２部品を端部フロアーパネルに対して衝合させ；かつ
工具を延ばすために第１部品に対して第２部品を動かして端部フロアーパネルを面に対して動かす、工程を含んでいる、方法。
【請求項２５】
請求項２４内に記載されているフロアーパネルを互いに加圧するための方法であって：この方法が以下の工程、即ち
工具の支持部分を工具の内側端部の位置に調整し；
支持部分を端部フロアーパネルに対して衝合させ；かつ
支持部分を第１部品に対して動かして端部フロアーパネルを面に対して動かす工程、を含んでいる方法。
【請求項２６】
支持部分を第２部品に対してロックする工程を含んでいる、請求項２５内に記載されているフロアーパネルを互いに加圧するための方法。
【請求項２７】
工具の第１部品の脚部を実質的に垂直な面に対して衝合させる工程を含んでいる、請求項２４ないし２６の何れかに記載されているフロアーパネルを互いに加圧するための方法。
【請求項２８】
工具の第１部品の脚部を壁に対して衝合させる工程を含んでいる、請求項２７に記載されているフロアーパネルを互いに加圧するための方法。
【請求項２９】
相互の所定位置に固定されるべきフロアーパネルを加圧するための方法であって：
工具の第１部品の脚部との投錨を提供し；
工具の第２部品を端部フロアーパネルに対して間隔を隔てて衝合させ；かつ
第２部品を第１部品に対して動かし工具を延ばして端部フロアーパネルを脚部に対して動かす、工程を含んでいる、方法。
【請求項３０】
請求項２９内に記載されているフロアーパネルを互いに加圧するための方法であって、更にフロアーパネルの上記端部を下側にある面に対して間隔を隔てた衝合部の間で固縛する工程を含んでいる、方法。
【請求項３１】
フロアーパネルがフロアーボードである、請求項２４ないし３０の何れかに記載されているフロアーパネルを互いに加圧するための方法。
【発明の詳細な説明】
【技術分野】
【０００１】
本発明はフロアー工具に関し、かつより詳細には、ただし非限定的であるが、舌および溝型フロアーボードのようなフロアーパネルをそれらが所定位置に固定されてフロアー面を形成する前に互いに圧縮するためのフロアー工具に関する。
【背景技術】
【０００２】
一連のフロアーボードを互いに平行衝合関係で配置することによりフロアー面を形成することは知られている。また“舌および溝”型のフロアーボードとしてフロアーボードを形成することも知られており、各ボードは１側に沿う雌溝および他側に沿う雄“舌”突起を備えており、溝および突起は１つのフロアーボードの舌が隣のフロアーボードの溝内にフィットするように対応形成されている。
【０００３】
結果として得られるフロアー内のギャップを最小化するために、舌および溝型フロアーボードは従来は通常手により小槌およびのみを用いて互いに圧縮される。しかしながら、そのような技術はしばしば１人の人がボードを互いに充分圧縮してフロアーボード間のギャップを除くことを可能とはせず、それは特にフロアーボードが湾曲および捻りを備えている場合に起こり得る。
【発明の開示】
【０００４】
本発明の１つの形態においては、固定されるべきフロアーパネルの１つを他方に対して所定位置に互いに加圧するための工具が提供され、上記工具の第１部品は１つの面に対して衝合するための脚部を備え、工具の第２部品はフロアーパネルの最端部に衝合するための頭部を備えており、かつ第２部品は第１部品に関連して可動であり、これは端部フロアーパネル上に力を及ぼすためである。
【０００５】
好ましくは、工具は第１および第２部品に対して連結されている機構を備え、第２部品が第１部品に対して動くように作動可能とされている。
【０００６】
１つの形態においては、機構は空気圧駆動される。別の形態においては、機構は手動で駆動される。代わりの形態においては、機構は水圧駆動、電気駆動、バッテリー駆動および／または電気駆動される。動力作動機構は上述の手段に加えてまたはその代わりに他の手段により駆動され得る。
【０００７】
代わりに、機構は手動可能なレバーを備えており、このレバーは工具の第１および第２部品の間に関節接続されていて第１部品に対して第２部品を動かす梃子を提供している。
【０００８】
好ましくは、第１および第２部品はスリーブ嵌合構造であり、第２部品が第１部品に対して工具を延ばすためのレバーの動作に関連して可動である。
【０００９】
好ましくは、脚部は壁のような実質的に垂直な面に対して支持されるように構成されている。
【００１０】
好ましくは、頭部は幅を増すための取り外し可能な頭伸長部を含んでいて上記幅上で力が端部フロアーボード上に及ぼされる。より好ましくは、頭伸長部はその幅に沿う複数箇所で端部フロアーボードと接触するように構成されている。好ましくは、頭部分はフロアーパネルの少なくとも１つを備えており、このフロアーパネルは端部フロアーボードに合わされるためのインターフェースとしてのものである。
【００１１】
好ましくは、フロアーパネルは舌および溝型フロアーパネルである。
【００１２】
好ましくは、第１部品が脚部の装着されている部分に対して伸長可能部分を含んでおり、かつ伸長可能部分が異なる場所にロックされて第１部品に異なる長さを提供する。より好ましくは、伸長可能部分がロックピン構造により異なる位置にロックされ得る。好ましくは、伸長可能部分がアダプターを備えており、このアダプターは工具の端部の内側支持部分を持ち、端部フロアーパネルおよび上記面の間の距離が工具の長さより少ない状況で工具の使用を容易にするためにアダプターが所定位置となるように構成されている。好ましくは、支持部分がフロアーパネルの部分を備えており、これは端部フロアーパネルとの合致のためのインターフェースとしてのものである。
【００１３】
好ましくは、アダプターは他の伸長可能部分と交換可能である。
【００１４】
好ましくは、工具が第１部品および第２部品の間の相対的動きをロックするためのロックを備えている。
【００１５】
別の形態においては、相互の所定位置に固定されるべきフロアーパネルを共に加圧するための工具が提供されており、そこでは工具の第１部品が投錨を提供するための脚部を備え、工具の第２部品がフロアーパネルの端部の１つと衝合するための間隔を隔てた衝合部付きの頭部を備え、かつ第２部品が端部フロアーパネル上に力を及ぼすために第１部品に対して可動とされている。
【００１６】
好ましくは、衝合部間の間隔がフロアーパネルの上記端部の１つを下側にある面に対して固縛するためのアクセスを許容するように構成されている。端部フロアーパネルの下側にある面への固縛は釘打ちにより達成されることができ、特に視界から隠されるように、釘はフロアーパネルの外側エッジ内（例えばフロアーパネルのエッジ舌内）に打ち込まれる。
【００１７】
好ましくは、フロアーパネルはフロアーボードである。
【００１８】
本発明の別の形態においては、相互の所定位置に固定されるべきフロアーパネルを加圧するための方法が提供されており、その方法は次の工程を含んでいる：
工具の第１部品の脚部を面に衝合させ；
工具の第２部品を端部フロアーパネルに対して衝合させ；かつ
工具を延ばすために第１部品に対して第２部品を動かして端部フロアーパネルを面に対して動かす。
【００１９】
好ましくは、この方法は次の工程を含んでいる：
工具の支持部分を工具の内側端部の位置に調整し；
支持部分を端部フロアーパネルに対して衝合させ；かつ
支持部分を第１部品に対して動かして端部フロアーパネルを面に対して動かす。より好ましくは、この方法は支持部分を第２部分に対してロックする工程を含んでいる。
【００２０】
好ましくは、支持部分がフロアーパネルの１つを端部フロアーパネルに合わされるためのインターフェースとして備えている。
【００２１】
好ましくは、この方法は工具の第１部品の脚部を壁のような実質的に垂直な面に対して衝合させる工程を含んでいる。
【００２２】
別の形態によると、相互の所定位置に固定されるべきフロアーパネルを加圧するための方法が提供されており、その方法は以下の工程を含んでいる：
工具の第１部品の脚部との投錨を提供し；
工具の第２部品を端部フロアーパネルに対して間隔を隔てて衝合させ；かつ
第２部品を第１部品に対して動かし工具を延ばして端部フロアーパネルを脚部に対して動かす。
【００２３】
好ましくは、この方法は更にフロアーパネルの上記端部を下側にある面に対して間隔を隔てた衝合部の間で固縛する工程を含んでいる。
【００２４】
好ましくは、フロアーパネルはフロアーボードである。
【発明を実施するための最良の形態】
【００２５】
第１例によりフロアーボード１２を共に加圧するための人により操作される工具１０が図１および２内に示されており、かつ工具は第２部品１６付きの第１部品１４を含んでおり、第２部品は第１部品１４に対して可動である。第１部品は面２０に対して接触するための脚部１８を備え、かつ第２部品１６は端部フロアーボード１２ａに対して接触するための頭部２２を備えている。第１部品１４および第２部品１６の間の関節付きレバー２４は第１部品１４に対して第２部品１６の動きを起こすように人手で操作可能であり、従って工具は伸長し、このようにしてフロアーボード１２を共に加圧する。工具１０を使用することによりフロアーボード１２は他方に対して１方が所定位置に固定される前に互いに加圧されることができてフロアーボード１２の間の間隙を最小化または阻止する。ひとたび互いに加圧されると、フロアーボード１２は相互に所定位置に固定され、その固定は接着剤および／またはファスナーによる。
【００２６】
特に図１において、そこには工具１０が示されており、この工具は壁２６の形の面２０および複数の支持用ビーム２８上に並べて配置されている一連のフロアーボード１２の間に配置されている。これらのフロアーボード１２は“舌および溝”タイプであり、各フロアーボード１２は一側エッジ上に溝３０を備えかつ反対側エッジ上には舌３２を備えている。このようにして、１つのフロアーボード１２の舌３２は隣のフロアーボード１２の溝３０内にフィットしてフロアーボード１２の相互の緊密なフィッテイングを容易にし、かつ１つのフロアーボード１２の隣のフロアーボード１２に対する上方／下方の湾曲を阻止している。
【００２７】
頭部２２は第２部品１６に対して枢着されているので端部フロアーボード１２ａの方向に対して適合され得る。これは力を端部フロアーボード１２ａに対して均等に掛けることを可能にしかつ端部フロアーボード１２ａに対する損傷の起こり易さを低減する。頭部２２は横棒３６を有する頭伸長部３４を含んでおり、横棒から３つの伸長アーム３８が延びている。伸長アーム３８は伸長可能であり、例えば横に伸長されてアーム間の間隔幅を広げフロアーボードに加えられる力のより広い広がりを提供する。各伸長アーム３８は舌−および−溝形フロアーボードの部分に倣い形成された足指４０を有していて足指４０が端部フロアーボード１２ａの舌３２に合致する外向き溝４２を備えている。頭伸長部３４を必要としない処では、頭ユニット４３それ自体が端部フロアーボード１２ａに直接接触することも可能であり、かつ好ましくは端部フロアーボード１２ａの舌３２と合致するための外向き溝４２付きのフロアーボードの部分を備えている。頭伸長部３４は工具１０により大きいリーチを提供し、従って面２０からより大きく離れた処でフロアーボード１２を互いに加圧するのに使用されることができ、それは例えば最初の数枚のフロアーボード１２が横たえられた時に起こる。頭伸長部３４はまた工具１０により加えられる力を頭伸長部３４の幅を通して分散させる利点を提供し、足指４０が端部フロアーボード１２ａに対して衝合する処で分散され、頭伸長部３４の幅は工具１０の一体頭ユニット４３の幅より大きくされている。明らかなように、全フロアーの敷設の間に、多のフロアーボード１２と並んで配置される連続したフロアーボード１２の各々は新たな端部フロアーボード１２ａになりそれに対して工具１０が使用される。工具１０は各連続端部フロアーボード１２ａに対して使用されることができ、それは例えばフロアーボード１２を共に加圧することが困難な状況であり、またはフロアーボード１２の適当なまたは適当に近い量を共に手で加圧できる場合はより少ない回数だけ使用される。
【００２８】
第１部品１４は伸長管状金属部材４４を備えており、これは第２部品１６の伸長管状金属部材４６とスリーブ係合している。管状部材４６はレバー２４の動きに対応して管状部材４４の内外へスライド可能である。より詳細には、レバー２４の矢印４８方向下方への動きは管状部材４６の管状部材４４外へのスライドを起こし、工具１０は伸長される。レバー２４は第２部品１６にピボット５０で枢着されており、かつそれは第１部品１４に対してストラット５２を介して連結されている。このストラット５２は第１部品１４の一端にピボット５４により枢支されており、かつそれはレバー２４に対してその他端部でピボット５６により枢支されている。ピボット５４はピボット５０から離れていてレバー２４に人手により加えられた力が工具１０の伸長を鼓舞するためにピボット５４および５０の処により大きい力をもたらすという機械的利点を提供する。この機械的利点により、人手で可能なよりも大きい力がフロアーボード１２の加圧のために加えられ得る。工具１０はロック５７（例えば図４内に示されているようにレバー２４上に装着されているスイッチ５９付きの）を備えており、これは第１部品１４および第２部品１６の間の相対的動きを阻止するように選択的に作動可能である。ロック５７は双方向における相対的動き、または一方向のみの動きを阻止して追加の圧力を加えることができ、一方存在している圧力がロック５７の解除を伴うことなく不用意に解放されることを阻止している
【００２９】
第１部品１４は伸長棒５８を含んでおり、その端部に対して脚部１８が装着されている。伸長棒５８の反対端部は管状部材４４内にフィットしており、かつ管状部材４４に対して摺動可能である。伸長棒５８はロック用ピン６０を備えており、このピンは管状部材４４内の対応する窓６１内にフィットして伸長棒５８が管状部材４０に対して異なる位置でロックされることができ、第１部品１４に異なる長さを提供している。
【００３０】
図１内に示されているようにフロアーボード１２を共に加圧するべく工具１０を使用するためには、まず頭部２２が端部フロアーボード１２ａと衝合する位置に配置される。示されているように、頭伸長部３４を使用する時には、頭伸長部３４のアーム３８が最端部フロアーボード１２ａに衝合するように配置され足指４０の溝４２が端部フロアーボード１２ａの舌３２と合わされる。図１および２内に示されている工具の足指４０は木材（好ましくはフロアーボード１２が作られているのと同じ木材）から作られているので、最端部フロアーボード１２ａに対する損傷は最小化される。工具１０の主本体６８の一体頭ユニット４３は横棒３６のエッジと接触するに至り、かつ横棒３６のエッジに沿い摺動されて、所望されるような、棒３６の異なる部分上へ作用する。
【００３１】
レバー２４を（図１内に示されているように）上方位置とし、伸長棒５８は管状部材４４に対してロック用ピン６０により好適な位置へ調整され、好ましくは脚部１８が面２０に対してできるだけ近接配置され、これはロック用ピン６０が管状部材４４内の対応窓の１つに係合されることにより行われる。レバー２４はそれから矢印４８により指示されている通路に沿い下方へ下ろされ、これはユーザーの手が下向きの力をグリップ６２に対して加えることにより行われる。以前に説明されたような機械的利点により、レバー２４の下方への動きは管状部材４６を管状部材４４から外方へ摺動させて工具１０が延び、このようにしてフロアーボード１２を共に加圧する。接着剤６４が支持用ビーム２８上に予め塗られており、従ってフロアーボード１２は所定位置に固定され得る。フロアーボード１２はひとたびフロアーボード１２を共に加圧するために使用された工具１０を所定位置に残すことにより接着剤６４のセッテイング中に所定位置に保持され、または工具を取り除く前にフロアーボードを下側面に釘止めすることにより所定位置に保持される。
【００３２】
図２はアダプター７４を示しており、これは端部フロアーボード１２ａおよび面２０の間に得られる間隔が工具１０の長さより少ない用途に対して工具１０を適用するために使用される。このタイプの使用のためには、アダプター７４は伸長棒５８の代わりに管状部材４４に対して装着される。アダプター７４はロック用ピン構造により管状部材４４に結合される。伸長ポール８２は所望される場合には管状部材４４およびアダプター７４の間で使用され特定の用途に適合される。図２内に示されている伸長ポール８２は両端部の処にロック用ピン８０を備え、このピンは管状部材４４およびアダプター７４内の対応する窓と係合している。
【００３３】
アダプター７４は可動インサート８４を備えており、このインサートはアダプター７４の管状部材８６の内側で摺動可能であり、かつロック用ピン８８による工具１０の使用中に管状部材８６に対する所定位置に支持され得る。可動インサート８４は支持用部分９０を備えており、この部分はアダプター７４が所定位置にある時には工具１０の両端部内に配置されている。支持部分９０が工具１０の端部の内側にあるお陰で、工具１０はフロアーボード１２を共に加圧するために使用されることができ、これは端部フロアーボード１２ａが面２０に対して工具の長さより近くに配置される時であっても別様に許容する。支持部分９０は端部フロアーボードと合わされるための介在物としてフロアーボードの部分を備えており、これは図１内に頭伸長部３４として示されているものと同様である。代わりの例としては、支持部分９０が枢支（例えばピンにより）されていて端部フロアーボード１２ａの方向と適合可能であり、工具１０がフロアーボードに対して直角以外に配置されることを許容している。ここでは工具１０はこのようにして小さいスペース内で使用され、頭ユニット７６は面２０と直接衝合するように使用され得る（即ち頭伸長部３４無しで）。
【００３４】
有利には、工具１０は下にあるビーム内に固定されるよりもむしろ面に対して衝合させることにより投錨されるので、工具１０はフロアーの下方へ貫通可能な物を有する用途に限定されることは無く、かつこのようにして例えば、コンクリートスラブ上に敷かれたフロアーボード内でも使用可能である。工具１０の長さの範囲を提供する伸長部分およびアダプターのお陰で、工具１０はフロアーボードおよび投錨面の間の間隔の範囲で使用可能である。
【００３５】
工具の上記例は単に例としてのみ記述されておりかつ修正は本発明の範囲内で可能である。図面内に示されている工具１０はカーペットストレッチャーから採用されたものであるが、他の例において工具は目的に合うように作られ得る。
【００３６】
図３ないし９は別の工具１１０を示しており、これは動力作動式である。示されている特定の例は空圧作動式であるが、当業者であれば空気圧の代わりにまたは空気圧に加えて他の動力作動式も使用され得ることは理解されるであろう。工具１１０は図１および２内に示されている工具１０内と同じ基本的概念を使用しており、ただ空気圧ユニット１９２付きであり、このユニットはフロアーボード１１２を共に加圧するために第１部品１１４に対して第２部品１１６を動かす力を関節付きレバー機構２４の代わりに提供する。工具１１０の同様な部分は工具１０の記述に使用されたのと同様な関連符号が１００シリーズとして表示されている。
【００３７】
図３において、空気圧ユニット１９２は作動用レバー１９４を備えておりかつ加圧空気を供給ホース１９６から受領する。作動用レバー１９４は（示されているような）中央位置へ付勢されており、そこでは第１部品１１４に対する第２部品１１６の位置は空気圧シリンダー１９８に対するバルブが閉塞されることによりロックされる。レバー１９４は前後に動かされてシリンダー１９８に対するバルブを選択的に開くことができ、シリンダー１９８のピストン２００を外方または内方へ動かし、このようにして工具１１０をそれぞれ伸長させまたは収縮させ得る。空気圧ユニット１９２はレバー１９４の動作に対応してピストン２００が動く際に速さを変えるための速度調整手段を備えている。
【００３８】
頭部１２２は第２部品１１６に対して枢着されていて最端部フロアーボード１２ａの面に適合し、かつ１対の離れたアーム２０４を備えている。各アーム２０４は足指１４０の形の衝合部を備えておりこの足指は最端部フロアーボード１２ａと損傷無しの接触のための形状を備えている。アーム２０４間の間隔は下側にある面に対して最端部フロアーボード１１２ａの締着のための容易な接近を、例えば工具を取り外す前に舌を通して下側の面内に釘を差し込むことにより、可能にする。足指１４０はアーム２０４に対して介入フィットによりフィットさせられ、従って足指は取り外され、置き換えられかつ他の足指と交換されて互いに加圧されるべきフロアーボード１１２の特定のサイズおよび形状に適合される。これらの足指はポリウレタンから形成することができかつ、理想的には、一連の足指１４０が異なるサイズおよび輪郭形状とされて一般的に使用されるフロアーボードの異なるエッジ特性に適合される。
【００３９】
第１部品１１４は調整可能なスリーブ構造により伸長されまたは短縮され、上記の構造は図１および２の手動工具１０内のようなロック用ピン１６０を使用する。交換可能な長尺物２０６も工具１１０の更なる長さ調整のために備えられ得る。
【００４０】
工具１１０はハンドル２０２を備えており、これは描写された例では垂直棒の形に示されており、これは工具１１０の操作を容易にするためである。
【００４１】
図４において、アーム２０４はそれらの下側に垂直レール２０８を備えていて接着剤（示されていない）との接触を最小化し、この接着剤は、例えば“こてで接着剤を塗りつける”時に、フロアーボードへの接着のために地面２１０に対して供給され得る。
【００４２】
素速い解放機構が頭部１２２および脚部１１８を工具１１０の残部に対して連結しアダプター１７４およびアダプター脚部２１２の素速くかつ容易な除去および取り換えを容易にし、これは最端部フロアーボード１１２ａおよび面１２０の間の距離が工具１１０の長さより短い状況のためであり、それは例えば図５内に示されている通りである。アダプター１７４の支持部１９０はアダプター１７４に沿い、工具１１０の中間端部でロック用ピン構造により動かされ得る。従って、工具１１０の使用は、支持部１９０が図７内に示されているような、アダプター脚部２１２に近づいた点まで可能である。見得るように、有利には、工具１１０は支持部１９０がアダプター脚部２１２の下側へ動き得るように構成されていて工具１１０の非常に制限されたスペース内での使用が許容されている。
【００４３】
図８において、工具１１０は頭伸長部１３４付きで使用され、工具１１０が湾曲フロアーボードを真っ直ぐに延ばす能力を増すためであり得る。頭伸長部１３４のアーム１３８は交換可能な足指１４０を備えており、それらの足指は上述のものと同じであり得る。
【００４４】
図９は空気圧ユニット１９２の詳細を示しており、これは工具１１０の他部品から取り外されている。
【００４５】
示されている工具１０、１１０は第１には金属で作られているが、別の例においては工具はプラスチック、黒鉛複合物、ポリウレタンおよび／または他の材料で作られ得ることは理解されるであろう。
【００４６】
当業者であれば、示されている例の上の記述がフロアーボードを互いに加圧する工具に関連してなされているが、工具が他のフロアーパネルを互いに加圧するために使用され得ることも理解されるであろう。そのようなフロアーパネルは、例えば、内側合致を要するフロアーパネルおよび“浮動”フロアーに使用されるベニヤタイプのフロアーパネルを含んでいる。
【００４７】
例
１つの例においては、工具は以下の部品を含んでいるキットとして販売される：
１ｘバッグ
１ｘ取り外し可能なトローリー
１ｘ制御レバー
１ｘシリンダー取付具
１ｘハンドル
伸長ポール：
２ｘ１５００ｍｍ
２ｘ１０００ｍｍ
１ｘ５５０ｍｍ
１ｘ３１０ｍｍ
１ｘ主頭部
１ｘ伸長頭部
１ｘ戻し棒頭部
１ｘ戻し棒（アダプター）
１ｘ壁脚部
１ｘ戻し脚部（アダプターと共に使用するための）
７ｘ連結ブロック（足指）“秘密爪”および従来型輪郭
（１セットが１９ｍｍ、２２ｍｍ、および２５ｍｍのフロアーボードにフィ    ットする）
７ｘ連結ブロック（足指）爪および従来型輪郭を“隠す”ためのもの
（１セットが１０ｍｍおよび１２ｍｍに積層フィットする）
【００４８】
工具は以下の指示に従って操作される：
１．加圧開始に要するスパンの間隔を決定してどの工具要素を使用するかを決定する。例えば、もしスパンが６ｍであれば、１５００ｍｍの両伸長ポールは直列に使用され、各ポールは約３ｍだけ延ばされる。
伸長ポール内の孔は８０ｍｍ間隔で設けられている。空気圧ラムのストロークは約１００ｍｍである。工具は全てのボード幅で使用可能であること、各連続ボードのための１つの孔位置により伸長ポールの短縮化、またはボードが１６０ｍｍ幅より大きい幅の場合の２つの孔の位置により宣伝されてきた。
２．壁脚部を伸長ポールに対して取り付ける。壁脚部を壁に対してセットする時、壁加圧領域を横切りフロアーボードの全長を使用して壁の損傷を確実に無くする。これに失敗すると壁に対する損傷を生ずる。空気シリンダーを他端に対して取り付ける。
３．主頭部をラム上のヨークに対して取り付ける。
４．空気ラインを連結する前にコンプレッサー上のレギュレーターを１００ｐｓｉないし１３０ｐｓｉ（シリンダーは殆どの釘製造業者が同じ圧力で駆動されるように設計されている）にチェックしかつセットする。まずラム上で移行をテストする。バルブが空気で満たされた時ラムが素速く動き得るように気を付ける。ラムは輸出のために梱包される時にテストされかつセットされるので速度制御のための更なるセッテイングは必要でない（それらは緩やかに押し出されかつ速やかに逆転するようにセットされる）。
５．ボードをクランプするために、工具は所定位置に調整され、従ってプッシュ角はフロアーに対して約９０度となる。工具は依然としてフロアーボードを共に４５度以上に加圧するが、確実なセッテイングが見出されるまでスライドし得る。
【００４９】
６．適当な連結ブロックを選び、それらを主頭部上のスロット内へ押し込む。連結ブロックをフロアーボードの舌と整列させる。
７．作動用レバーは３つのセッテイング：前進、中央の停止、および後退、を備えている。ボードを安全に整列させるために、“停止ゴー”（即ち、ラムを繰り返し短い動きで動かす）が中央へ弾性付勢スイッチを操作することが最も良い方法である。ボードが連結されるまで短い前進の動きを繰り返す。フロアーボードの頂部を叩く必要があり、それはフロアー工具がボードを互いに加圧する際に整列を助けるためである。もしクランプ過剰が発生すると、ボードは上方へ上がるであろう。圧力を取り除きかつ主頭部上へ下向き荷重を加えかつ再び作業を進める。
８．ボードから釘を抜き、シリンダー上への後退レバーの使用を緩める。
９．もし必要であれば、同じフロアーボードに沿い工具を再配置する。伸長頭取付具は最も捻られかつ湾曲されたボードを平滑化するための臨時の圧力を許容するために備えられている。首尾良く使用するために第３ないし第９工程を繰り返す。
１０．ボードの次の列を準備し、伸長ポールを１ノッチだけ（もし適当ならばより多くを）後方へスライドさせる。ハンドル付きの場合は使用しない時に外へ取り出すことが容易である。必要とされるフロアーボードをクランプする。
【００５０】
１１．より短い伸長ポールで作業を継続し、それは主頭部を使用する空間が無くなるまでである。
１２．戻し棒（アダプター）を準備し、全ての伸長ポールを除去し、主頭部を外し、かつ戻し脚部をヨークに対して再び連結する。戻し棒をシリンダー取付具に対して連結しかつ戻し棒頭部を準備し、それはスライドにより直接押しかつロックし、引きかつ機構を所定位置へ回す。好適な連結ブロックに取り付けかつ工程７ないし工程１１を繰り返す。
１３．戻し棒頭部がその押し能力点に達すると、戻し棒頭部を工具の残部に対して反転させフロアーボードを共に引く（それらを共に押すのと反対に）。最後のフロアーボードに達するまで工程７ないし１１を繰り返す。
１４．フロアー工具での作業を終了する。空気ホースを外しかつ取付具を分解する。キットを梱包する。
【図面の簡単な説明】
【００５１】
本発明は添付図面に関連して非限定の単なる例として記述されている。
【図１】フロアーボードを共に加圧するための手動操作工具の側方斜視図で、これは第１例によるものである。
【図２】図１の工具の側方斜視図で、アダプターを使用して一連のフロアーボードを共に加圧している処を示しており、工具のレバーは起立位置にある。
【図３】フロアーボードを共に加圧するための空気圧工具の側方斜視図で、これは第２例によるものである。
【図４】図３内に示されている工具の頭部の後方拡大斜視図である。
【図５】図３および４の工具の側方斜視図で、アダプターを使用して一連のフロアーボードを互いに加圧している処を示している。
【図６】図３および５の工具の側方斜視図で、逆配置されたアダプターを使用して一連のフロアーボードを共に加圧している処を示している。
【図７】図３および６の工具の頭部の頂部斜視図で、一連のフロアーボードの配置が殆ど完了している処を示している。
【図８】図３および７の工具の頂部後方斜視図で、頭部伸長部を使用してフロアーボードを共に加圧している処を示している。
【図９】図３および８内に示されている工具の空気圧ピストンおよびコントローラーの側方斜視図である。
【図１】
2008508455.tif 000003
【図２】
2008508455.tif 000004
【図３】
2008508455.tif 000005
【図４】
2008508455.tif 000006
【図５】
2008508455.tif 000007
【図６】
2008508455.tif 000008
【図７】
2008508455.tif 000009
【図８】
2008508455.tif 000010
【図９】
2008508455.tif 000011
【手続補正書】
【提出日】平成18年6月19日(2006.6.19)
【手続補正１】
【補正対象書類名】特許請求の範囲
【補正対象項目名】全文
【補正方法】変更
【補正の内容】
【特許請求の範囲】
【請求項１】
拡張ユニット、アンカー面に対して係合される第１位置の処への配置のための土台、およびフロアーパネルへの係合のための取付具を含んでいる工具アセンブリーであって、上記土台は第１位置の処に配置され、それは工具アセンブリーが基端モードにあり、そこでは取付具は土台の基端部にあり、かつ工具アセンブリーが末端モードにあり、そこでは取付具がアンカー面から少なくとも１つのフロアーパネルの幅より大きい距離だけ離れており、これにより一連のフロアーパネルが工具アセンブリーの拡張ユニットにより起こされた力を使用して横たえられかつ互いに押され、工具アセンブリーが最端部フロアーパネルおよび基端および末端モードの双方における第１位置の間で作用するように構成されている、工具アセンブリー。
【請求項２】
請求項１に記載の工具アセンブリーであって、一連のフロアーパネルを工具アセンブリーの拡張ユニットにより起こされる力を使用して連続的に横たえられかつ互いに押されることが許容されるように構成し、工具アセンブリーは各連続最端部フロアーパネルおよび基端および末端モードにおける第１位置の間で作用するようにされている、工具アセンブリー。
【請求項３】
請求項１または２に記載の工具アセンブリーであって、基端モードにおいては取付具がアダプターを含んでおり、このアダプターは工具アセンブリーの両端部間の位置に最端部フロアーパネルと噛合するための噛合部分を備えている、工具アセンブリー。
【請求項４】
請求項１ないし３の何れかに記載の工具アセンブリーであって、末端モードにおいては取付具が頭部を含んでおり、この頭部は最端部フロアーパネルに対して衝合するための間隔を隔てた衝合部を備えている、工具アセンブリー。
【請求項５】
請求項１ないし４の何れかに記載の工具アセンブリーであって、末端モード時には土台が工具アセンブリーの長さを延ばすための延長部分を含んでおり、この延長部分はアンカー面に対する噛合のための支持部分を延長部分の自由端部の処に備えている、工具アセンブリー。
【請求項６】
請求項１ないし５の何れかに記載の工具アセンブリーであって、基端モード時には土台が支持部分を有する短い脚部を拡張ユニットに対する基端部に支持部分に備えている、工具アセンブリー。
【請求項７】
請求項１ないし６の何れかに記載の工具アセンブリーであって、拡張ユニットが基端および末端モード間で反転可能である、工具アセンブリー。
【請求項８】
所定位置に固定されるべきフロアーパネルを互いに加圧するための工具アセンブリーであって、この工具アセンブリーが端部フロアーパネル上に力を加えるために互いに可動の第１および第２部品を備えており、この工具アセンブリーはアンカー面および端部フロアーパネルの間の距離が工具アセンブリーの長さより大きい時にフロアーパネルを互いに加圧するための末端モードを、およびアンカー面および端部フロアーパネルの間の距離が工具アセンブリーの長さより小さい時にフロアーパネルを互いに加圧するための基端モードを備えており、かつここで工具アセンブリーは末端および基端モードの双方において工具アセンブリーの１部品がアンカー面により投錨されかつ工具アセンブリーの他方の部品が端部フロアーパネル上に力を加えるように構成されている、工具アセンブリー。
【請求項９】
請求項７に記載の工具アセンブリーであって、工具アセンブリーの第１部品がアンカー面に対して衝合するための脚部を備え、かつ工具アセンブリーの第２部品が端部フロアーパネルに対して衝合するための頭部を備えている、工具アセンブリー。
【請求項１０】
請求項９に記載の工具アセンブリーであって、脚部は工具アセンブリーが末端モードにある時にアンカー面に対して衝合し、かつ頭部は工具アセンブリーが基端モードにある時にアンカー面に対して衝合するように構成されている、工具アセンブリー。
【請求項１１】
請求項１ないし１０の何れかに記載の工具アセンブリーであって、アンカー面が実質的に垂直面である、工具アセンブリー。
【請求項１２】
請求項１ないし１１の何れかに記載の工具アセンブリーであって、アンカー面が壁である、工具アセンブリー。
【請求項１３】
請求項８ないし１２の何れかに記載の工具アセンブリーであって、工具アセンブリーが第１および第２部品に対して結合された拡張ユニットを備えており、第２部品が第１部品に対して作動可能とされている、工具アセンブリー。
【請求項１４】
請求項１ないし７または１３の何れかに記載の工具アセンブリーであって、拡張ユニットが動力作動式である、工具アセンブリー。
【請求項１５】
請求項１４に記載の工具アセンブリーであって、拡張ユニットが空気圧駆動式である、工具アセンブリー。
【請求項１６】
請求項１ないし７または１３の何れかに記載の工具アセンブリーであって、拡張ユニットが手動式である、工具アセンブリー。
【請求項１７】
請求項１６に記載の工具アセンブリーであって、拡張ユニットが手で作動可能なレバーを備えており、このレバーが工具アセンブリーの第１および第２部品の間に関節接続されて第２部品を第１部品に対して動かす梃子を提供している、工具アセンブリー。
【請求項１８】
請求項１７に記載の工具アセンブリーであって、第１および第２部品がスリーブ係合されていて第２部品が第１部品に対してレバーの操作に関連して工具あせんぶりーを伸長させるように可動である、工具アセンブリー。
【請求項１９】
請求項９、または請求項９に従属する時には請求項１０ないし１８の何れかに記載の工具アセンブリーであって、頭部が幅を増すための取り替え可能な頭伸長部を含んでおり、その幅上から力が端部フロアーパネル上に加えられる、工具アセンブリー。
【請求項２０】
請求項１９に記載の工具アセンブリーであって、頭伸長部はその幅に沿う複数位置で最端部フロアーパネルと接触するようにされている、工具アセンブリー。
【請求項２１】
請求項１９または２０に記載の工具アセンブリーであって、頭部がフロアーパネルの少なくとも１部分を備えており、この１部分は端部フロアーボードに合わされるためのインターフェースとしてのものである、工具アセンブリー。
【請求項２２】
請求項８ないし２１の何れかに記載の工具アセンブリーであって、フロアーパネルが舌および溝型フロアーパネルである、工具アセンブリー。
【請求項２３】
請求項９または請求項９に従属する時には請求項１０ないし２２の何れかに記載の工具アセンブリーであって、第１部品が脚部の装着されている部分に対して伸長可能部分を含んでおり、かつ伸長可能部分が異なる場所にロックされて第１部品に異なる長さを提供する、工具アセンブリー。
【請求項２４】
請求項２３に記載の工具アセンブリーであって、伸長可能部分がロックピン構造により異なる位置にロックされ得る、工具アセンブリー。
【請求項２５】
請求項８ないし２４の何れかに記載の工具アセンブリーであって、第１部品がアダプターを備えており、このアダプターは工具アセンブリーの端部の内側支持部分を持ち、これはアダプターが所定位置にある時に工具アセンブリーの基端モードにおける使用を容易にする、工具アセンブリー。
【請求項２６】
請求項２５に記載の工具アセンブリーであって、支持部分がフロアーパネルの部分を備えており、これは端部フロアーパネルとの合致のためのインターフェースとしてのものである、工具アセンブリー。
【請求項２７】
請求項２５または２６に記載の工具アセンブリーであって、アダプターが他の部分と交換可能である、工具アセンブリー。
【請求項２８】
請求項８ないし２７の何れかに記載の工具アセンブリーであって、工具アセンブリーが第１部品および第２部品の間の相対的動きをロックするためのロックを備えている、工具アセンブリー。
【請求項２９】
相互の所定位置に固定されるべきフロアーパネルを共に加圧するための工具アセンブリーであって、工具アセンブリーの第１部品が投錨を提供するための脚部を備え、工具アセンブリーの第２部品がフロアーパネルの端部の１つと衝合するための間隔を隔てた衝合部付きの頭部を備え、かつ第２部品が端部フロアーパネル上に力を及ぼすために第１部品に対して可動とされている、工具アセンブリー。
【請求項３０】
請求項２９に記載の工具アセンブリーであって、衝合部間の間隔がフロアーパネルの上記端部の１つを下側にある面に対して固縛するためのアクセスを許容するように構成されている、工具アセンブリー。
【請求項３１】
相互の所定位置に固定されるべきフロアーパネルを加圧するための方法であって：
工具アセンブリーの第１部品をアンカー面に衝合させ；
工具アセンブリーの第２部品を端部フロアーパネルに対して衝合させ；かつ
工具アセンブリーを延ばすために第１部品に対し第２部品を動かして端部フロアーパネルをアンカー面に対して動かす、工程を含んでいる、方法。
【請求項３２】
請求項３１内に記載されているフロアーパネルを互いに加圧するための方法であって：この方法が以下の工程、即ち
工具アセンブリーの支持部分を工具アセンブリーの内側端部の位置に調整し；
支持部分を端部フロアーパネルに対して衝合させ；かつ
支持部分を第１部品に対して動かし端部フロアーパネルをアンカー面に対して動かす工程、を含んでいる方法。
【請求項３３】
請求項３２内に記載されているようにフロアーパネルを互いに加圧するための方法であって、支持部分を第２部品に対してロックする工程を含んでいる、方法。
【請求項３４】
請求項３１ないし３３の何れかに記載のフロアーパネルを互いに加圧するための方法であって、工具アセンブリーの第１部品の脚部を実質的に垂直なアンカー面に対して衝合させる工程を含んでいる、方法。
【請求項３５】
請求項３４に記載のフロアーパネルを互いに加圧するための方法であって、工具アセンブリーの第１部品の脚部を壁に対して衝合させる工程を含んでいる、方法。
【請求項３６】
相互の所定位置に固定されるべきフロアーパネルを加圧するための方法であって：
工具アセンブリーの第１部品との投錨を提供し；
工具アセンブリーの第２部品を端部フロアーパネルに対して間隔を隔てて衝合させ；かつ
第２部品を第１部品に対して動かし工具アセンブリーを延ばして端部フロアーパネルを脚部に対して動かす、工程を含んでいる、方法。
【請求項３７】
請求項６４に記載のフロアーパネルを互いに加圧するための方法であって、更にフロアーパネルの上記１つの端部を下側にある面に対して間隔を隔てた衝合部の間で固縛する工程を含んでいる、方法。
【請求項３８】
所定位置に加圧されるべきフロアーパネルを互いに加圧するための工具アセンブリーであって、工具アセンブリーの第１部品が投錨位置上に作用するための土台を備え、工具の第２部品がフロアーパネルの端部の１つ上に作用するための取付具を備え、かつ動力作動拡張ユニットが第１および第２部品に対して連結され、これにより拡張ユニットが第１部品に対して第２部品を端部フロアーパネル上に力を加えるように作動可能とされている、工具アセンブリー。
【請求項３９】
請求項３８に記載の工具アセンブリーであって、拡張ユニットが空気圧作動式である、工具アセンブリー。
【手続補正２】
【補正対象書類名】明細書
【補正対象項目名】全文
【補正方法】変更
【補正の内容】
【発明の詳細な説明】
【技術分野】
【０００１】
本発明はフロアー工具に関し、かつより詳細には、ただし非限定的であるが、舌および溝型フロアーボードのようなフロアーパネルをそれらが所定位置に固定されてフロアー面を形成する前に互いに圧縮するためのフロアー工具アセンブリーに関する。
【背景技術】
【０００２】
一連のフロアーボードを互いに平行衝合関係で配置することによりフロアー面を形成することは知られている。また“舌および溝”型のフロアーボードとしてフロアーボードを形成することも知られており、各ボードは１側に沿う雌溝および他側に沿う雄“舌”突起を備えており、溝および突起は１つのフロアーボードの舌が隣のフロアーボードの溝内にフィットするように対応形成されている。
【０００３】
結果として得られるフロアー内のギャップを最小化するために、舌および溝型フロアーボードは従来は通常手により小槌およびのみを用いて互いに圧縮される。しかしながら、そのような技術はしばしば１人の人がボードを互いに充分圧縮してフロアーボード間のギャップを除くことを可能とはせず、それは特にフロアーボードが湾曲および捻りを備えている場合に起こり得る。
【発明の開示】
【０００４】
１つの形態においては、工具アセンブリーが提供されており、この工具アセンブリーは拡張ユニット、アンカー面に対して係合される第１位置の処への配置のための土台、およびフロアーパネルへの係合のための取付具を含んでおり、土台は第１位置の処に配置され、それは工具アセンブリーが基端モードにある時には、取付具は土台の基端部にあり、かつ工具アセンブリーが末端モードにあり、そこでは取付具がアンカー面から少なくとも１つのフロアーパネルの幅より大きい距離だけ離れており、これにより一連のフロアーパネルが工具アセンブリーの拡張ユニットにより起こされた力を使用して横たえられかつ互いに押され、工具アセンブリーが最端部フロアーパネルおよび基端および末端モードの双方における第１位置の間で作用するように構成されている。
【０００５】
好ましくは、工具アセンブリーは一連のフロアーパネルを工具アセンブリーの拡張ユニットにより起こされる力を使用して連続的に横たえられかつ互いに押されることが許容されるように構成し、工具アセンブリーは各連続最端部フロアーパネルおよび基端および末端モードにおける第１位置の間で作用するようにされている。
【０００６】
好ましくは、基端モードにおいては取付具がアダプターを含んでおり、このアダプターは工具アセンブリーの両端部間の位置に最端部フロアーパネルと噛合するための噛合部分を備えている。
【０００７】
好ましくは、末端モードにおいては取付具が頭部を含んでおり、この頭部は最端部フロアーパネルに対して衝合するための間隔を隔てた衝合部を備えている。
【０００８】
好ましくは、末端モード時には土台が工具アセンブリーの長さを延ばすための延長部分を含んでおり、この延長部分はアンカー面に対する噛合のための支持部分を延長部分の自由端部の処に備えている。
【０００９】
好ましくは、基端モード時には土台が支持部分を有する短い脚部を拡張ユニットに対する基端部に支持部分に備えている。
【００１０】
好ましくは、拡張ユニットが基端および末端モード間で反転可能である。
【００１１】
別の形態においては、所定位置に固定されるべきフロアーパネルを互いに加圧するための工具アセンブリーが備えられており、この工具アセンブリーが端部フロアーパネル上に力を加えるために互いに可動の第１および第２部品を備えており、この工具アセンブリーはアンカー面および端部フロアーパネルの間の距離が工具アセンブリーの長さより大きい時にフロアーパネルを互いに加圧するための末端モードを、およびアンカー面および端部フロアーパネルの間の距離が工具アセンブリーの長さより小さい時にフロアーパネルを互いに加圧するための基端モードを備えており、かつここで工具アセンブリーは末端および基端モードの双方において工具アセンブリーの１部品がアンカー面により投錨されかつ工具アセンブリーの他方の部品が端部フロアーパネル上に力を加えるように構成されている。
【００１２】
好ましくは、工具アセンブリーの第１部品がアンカー面に対して衝合するための脚部を備え、かつ工具アセンブリーの第２部品が端部フロアーパネルに対して衝合するための頭部を備えている。より好ましくは、脚部は工具アセンブリーが末端モードにある時にアンカー面に対して衝合し、かつ頭部は工具アセンブリーが基端モードにある時にアンカー面に対して衝合するように構成されている。
【００１３】
好ましくは、アンカー面が実質的に垂直面である。より好ましくは、アンカー面が壁である。
【００１４】
好ましくは、工具アセンブリーが第１および第２部品に対して結合された拡張ユニットを備えており、第２部品が第１部品に対して作動可能とされている。
【００１５】
好ましくは、拡張ユニットが動力作動式である。より好ましくは、拡張ユニットが空気圧駆動式である。
【００１６】
代わりに、拡張ユニットが手動式である。１つの形態においては、拡張ユニットが手で作動可能なレバーを備えており、このレバーが工具アセンブリーの第１および第２部品の間に関節接続されて第２部品を第１部品に対して動かす梃子を提供している。第１および第２部品がスリーブ係合されていて第２部品が第１部品に対してレバーの操作に関連して工具アセンブリーを伸長させるように可動である。
【００１７】
好ましくは、頭部が幅を増すための取り替え可能な頭伸長部を含んでおり、その幅上から力が端部フロアーパネル上に加えられる。より好ましくは、頭伸長部はその幅に沿う複数位置で最端部フロアーパネルと接触するようにされている。頭部がフロアーパネルの少なくとも１部分を備えており、この１部分は端部フロアーボードに合わされるためのインターフェースとしてのものである。
【００１８】
好ましくは、フロアーパネルが舌および溝型フロアーパネルである。
【００１９】
好ましくは、第１部品が脚部の装着されている部分に対して伸長可能部分を含んでおり、かつ伸長可能部分が異なる場所にロックされて第１部品に異なる長さを提供する。より好ましくは、伸長可能部分がロックピン構造により異なる位置にロックされ得るようにされている。
【００２０】
好ましくは、第１部品がアダプターを備えており、このアダプターは工具アセンブリーの端部の内側支持部分を持ち、これはアダプターが所定位置にある時に工具アセンブリーの基端モードにおける使用を容易にする。より好ましくは、支持部分がフロアーパネルの部分を備えており、これは端部フロアーパネルとの合致のためのインターフェースとしてのものである。１つの形態においては、アダプターが他の部分と交換可能である。
【００２１】
好ましくは、工具アセンブリーは第１部品と第２部品との間の相対的動きをロックするためのロックを備えている。
【００２２】
別の形態においては、所定位置に加圧されるべきフロアーパネルを互いに加圧するための工具アセンブリーであって、工具アセンブリーの第１部品がアンカー位置上に作用するための土台を備え、工具アセンブリーの第２部品がフロアーパネルの端部の１つ上に作用するための取付具を備え、工具アセンブリーの第２部品がフロアーパネルの端部の１つに対して衝合する頭部を備え、かつ第２部品が第１部品に対して端部フロアーパネル上に力を加えるように可動とされている。
【００２３】
好ましくは、衝合部間の間隔はフロアーパネルの１つの上記端部を下側面に対して固縛するためのアクセスを許容する。端部フロアーパネルを下側面に対して固縛することは釘打ちの方法により達成されることができ、特に釘はフロアーパネルの外側エッジ内（例えば、フロアーパネルのエッジ舌部内）に打ち込まれて視界から隠される。
【００２４】
本発明の別の形態においては、相互の所定位置に固定されるべきフロアーパネルを加圧するための方法が提供されており、この方法は：
工具アセンブリーの第１部品の脚部を端部アンカー面に対して衝合させ；
工具アセンブリーの第２部品を端部フロアーパネルに対して衝合させ；かつ
第２部品を第１部品に対して動かし工具アセンブリーを延ばして端部フロアーパネルをアンカー面に対して動かす、工程を含んでいる。
【００２５】
好ましくは、方法が工具アセンブリーの工具アセンブリーの支持部分を工具アセンブリーの端部の内側部分に調整し、支持部分を端部フロアーパネルに対して衝合させ、かつ支持部分を第１部品に対して動かし端部フロアーパネルをアンカー面に対して動かす。より好ましくは、方法は支持部分を第２部分に対してロックする工程を含み得る。
【００２６】
好ましくは、支持部分はフロアーパネルの部分に端部フロアーパネルとの合わせのためのインターフェースとして備えられている。
【００２７】
好ましくは、方法は工具アセンブリーの第１部品の脚部を壁のような実質的に垂直なアンカー面に対して衝合させる工程を含み得る。
【００２８】
別の形態においては、所定位置に固定されるべきフロアーパネルを他の１つに対して加圧する方法を提供しており、その方法は：
工具アセンブリーの第１部品の脚部とのアンカーを提供し；
工具アセンブリーの第２部品の間隔を隔てた衝合部を端部フロアーパネルに対して衝合させ；かつ
第２部品を第１部品に対して動かし工具アセンブリーを延ばして端部フロアーパネルを脚部に対して動かす工程を含んでいる。
【００２９】
好ましくは、方法は更にフロアーパネルの１つの端部を間隔を隔てた衝合部間の下側にある面に対して固縛する工程を含んでいる。
【００３０】
別の形態においては、互いに所定位置に固定されるべきフロアーパネルを加圧するための工具アセンブリーが提供されており、そこでは工具アセンブリーの第１部品がアンカー位置上で作用する土台を備えており、工具の第２部品はフロアーパネルの端部の１つ上に作用するための取付具を備えており、かつ動力作動式の拡張ユニットが第１および第２部品に連結され、これにより拡張ユニットは第２部品を第１部品に対して動かし力を端部フロアーパネル上に及ぼすために作動可能とされている。
【００３１】
好ましくは、拡張ユニットは空気圧作動式である。
【発明を実施するための最良の形態】
【００３２】
第１例によりフロアーボード１２を共に加圧するための人により操作される工具アセンブリー１０が図１および２内に示されており、かつ工具は第２部品１６付きの第１部品１４を含んでおり、第２部品は第１部品１４に対して可動である。第１部品は脚部１８を備えこの脚部はアンカー面２０の形の第１位置に対して作用するためのものであり、かつ第２部品１６は端部フロアーボード１２ａに対して接触するための頭部２２を備えている。第１部品１４および第２部品１６の間の関節付きレバー２４は第１部品１４に対して第２部品１６の動きを起こすように人手で操作可能であり、従って工具アセンブリーは伸長し、このようにしてフロアーボード１２を共に加圧する。工具アセンブリー１０を使用することによりフロアーボード１２は他方に対して１方が所定位置に固定される前に互いに加圧されることができてフロアーボード１２の間の間隙を最小化または阻止する。ひとたび互いに加圧されると、フロアーボード１２は相互に所定位置に固定され、その固定は接着剤および／またはファスナーによる。
【００３３】
特に図１において、そこには工具アセンブリー１０が示されており、この工具は壁２６の形の面２０および複数の支持用ビーム２８上に並べて配置されている一連のフロアーボード１２の間に配置されている。これらのフロアーボード１２は“舌および溝”タイプであり、各フロアーボード１２は一側エッジ上に溝３０を備えかつ反対側エッジ上には舌３２を備えている。このようにして、１つのフロアーボード１２の舌３２は隣のフロアーボード１２の溝３０内にフィットしてフロアーボード１２の相互の緊密なフィッテイングを容易にし、かつ１つのフロアーボード１２の隣のフロアーボード１２に対する上方／下方の湾曲を阻止している。
【００３４】
頭部２２は第２部品１６に対して枢着されているので端部フロアーボード１２ａの方向に対して適合され得る。これは力を端部フロアーボード１２ａに対して均等に掛けることを可能にしかつ端部フロアーボード１２ａに対する損傷の起こり易さを低減する。頭部２２は横棒３６を有する頭伸長部３４を含んでおり、横棒から３つの伸長アーム３８が延びている。伸長アーム３８は伸長可能であり、例えば横に伸長されてアーム間の間隔幅を広げフロアーボードに加えられる力のより広い広がりを提供する。各伸長アーム３８は舌−および−溝形フロアーボードの部分に倣い形成された足指４０を有していて足指４０が端部フロアーボード１２ａの舌３２に合致する外向き溝４２を備えている。頭伸長部３４を必要としない処では、頭ユニット４３それ自体が端部フロアーボード１２ａに直接接触することも可能であり、かつ好ましくは端部フロアーボード１２ａの舌３２と合致するための外向き溝４２付きのフロアーボードの部分を備えている。頭伸長部３４は工具アセンブリー１０により大きいリーチを提供し、従って面２０からより大きく離れた処でフロアーボード１２を互いに加圧するのに使用されることができ、それは例えば最初の数枚のフロアーボード１２が横たえられた時に起こる。頭伸長部３４はまた工具アセンブリー１０により加えられる力を頭伸長部３４の幅を通して分散させる利点を提供し、足指４０が端部フロアーボード１２ａに対して衝合する処で分散され、頭伸長部３４の幅は工具アセンブリー１０の一体頭ユニット４３の幅より大きくされている。明らかなように、全フロアーの敷設の間に、多のフロアーボード１２と並んで配置される連続したフロアーボード１２の各々は新たな端部フロアーボード１２ａになりそれに対して工具アセンブリー１０が使用される。工具アセンブリー１０は各連続端部フロアーボード１２ａに対して使用されることができ、それは例えばフロアーボード１２を共に加圧することが困難な状況であり、またはフロアーボード１２の適当なまたは適当に近い量を共に手で加圧できる場合はより少ない回数だけ使用される。
【００３５】
第１部品１４は伸長管状金属部材４４を備えており、これは第２部品１６の伸長管状金属部材４６とスリーブ係合している。管状部材４６はレバー２４の動きに対応して管状部材４４の内外へスライド可能である。より詳細には、レバー２４の矢印４８方向下方への動きは管状部材４６の管状部材４４外へのスライドを起こし、工具アセンブリー１０は伸長される。レバー２４は第２部品１６にピボット５０で枢着されており、かつそれは第１部品１４に対してストラット５２を介して連結されている。このストラット５２は第１部品１４の一端にピボット５４により枢支されており、かつそれはレバー２４に対してその他端部でピボット５６により枢支されている。ピボット５４はピボット５０から離れていてレバー２４に人手により加えられた力が工具アセンブリー１０の伸長を鼓舞するためにピボット５４および５０の処により大きい力をもたらすという機械的利点を提供する。この機械的利点により、人手で可能なよりも大きい力がフロアーボード１２の加圧のために加えられ得る。工具アセンブリー１０はロック５７（例えば図４内に示されているようにレバー２４上に装着されているスイッチ５９付きの）を備えており、これは第１部品１４および第２部品１６の間の相対的動きを阻止するように選択的に作動可能である。ロック５７は双方向における相対的動き、または一方向のみの動きを阻止して追加の圧力を加えることができ、一方存在している圧力がロック５７の解除を伴うことなく不用意に解放されることを阻止している
【００３６】
第１部品１４は伸長棒５８を含んでおり、その端部に対して脚部１８が装着されている。伸長棒５８の反対端部は管状部材４４内にフィットしており、かつ管状部材４４に対して摺動可能である。伸長棒５８はロック用ピン６０を備えており、このピンは管状部材４４内の対応する窓６１内にフィットして伸長棒５８が管状部材４０に対して異なる位置でロックされることができ、第１部品１４に異なる長さを提供している。
【００３７】
図１内に示されているようにフロアーボード１２を共に加圧するべく工具アセンブリー１０を使用するためには、まず頭部２２が端部フロアーボード１２ａと衝合する位置に配置される。示されているように、頭伸長部３４を使用する時には、頭伸長部３４のアーム３８が最端部フロアーボード１２ａに衝合するように配置され足指４０の溝４２が端部フロアーボード１２ａの舌３２と合わされる。図１および２内に示されている工具アセンブリーの足指４０は木材（好ましくはフロアーボード１２が作られているのと同じ木材）から作られているので、最端部フロアーボード１２ａに対する損傷は最小化される。工具アセンブリー１０の主本体６８の一体頭ユニット４３は横棒３６のエッジと接触するに至り、かつ横棒３６のエッジに沿い摺動されて、所望されるような、棒３６の異なる部分上へ作用する。
【００３８】
レバー２４を（図１内に示されているように）上方位置とし、伸長棒５８は管状部材４４に対してロック用ピン６０により好適な位置へ調整され、好ましくは脚部１８が面２０に対してできるだけ近接配置され、これはロック用ピン６０が管状部材４４内の対応窓の１つに係合されることにより行われる。レバー２４はそれから矢印４８により指示されている通路に沿い下方へ下ろされ、これはユーザーの手が下向きの力をグリップ６２に対して加えることにより行われる。以前に説明されたような機械的利点により、レバー２４の下方への動きは管状部材４６を管状部材４４から外方へ摺動させて工具アセンブリー１０が延び、このようにしてフロアーボード１２を共に加圧する。接着剤６４が支持用ビーム２８上に予め塗られており、従ってフロアーボード１２は所定位置に固定され得る。フロアーボード１２はひとたびフロアーボード１２を共に加圧するために使用された工具アセンブリー１０を所定位置に残すことにより接着剤６４のセッテイング中に所定位置に保持され、または工具アセンブリーを取り除く前にフロアーボードを下側面に釘止めすることにより所定位置に保持される。
【００３９】
図２はアダプター７４を示しており、このアダプターは工具アセンブリー１０が機構の基端モードで作動するようにするために使用され、この基端モードでは頭部２２が描写されている例のように脚部１８に近接しており、そこでは端部フロアーボード１２ａおよび面２０の間に得られる間隔が工具アセンブリー１０の長さより少ない。このタイプの使用のためには、アダプター７４は伸長棒５８の代わりに管状部材４４に対して装着される。アダプター７４はロック用ピン構造により管状部材４４に対してロックピン構造により連結される。伸長ポール８２は所望される場合には管状部材４４およびアダプター７４の間で使用され特定の用途に適合される。図２内に示されている伸長ポール８２は両端部の処にロック用ピン８０を備え、このピンは管状部材４４およびアダプター７４内の対応する窓と係合している。
【００４０】
アダプター７４は可動インサート８４を備えており、このインサートはアダプター７４の管状部材８６の内側で摺動可能であり、かつロック用ピン８８による工具アセンブリー１０の使用中に管状部材８６に対する所定位置に支持され得る。可動インサート８４は支持用部分９０を備えており、この部分はアダプター７４が所定位置にある時には工具アセンブリー１０の両端部内に配置されている。支持部分９０が工具アセンブリー１０の端部の内側にあるお陰で、工具アセンブリー１０はフロアーボード１２を共に加圧するために使用されることができ、これは端部フロアーボード１２ａが面２０に対して工具アセンブリーの長さより近くに配置される時であっても別様に許容する。支持部分９０は端部フロアーボードと合わされるための介在物としてフロアーボードの部分を備えており、これは図１内に頭伸長部３４として示されているものと同様である。代わりの例としては、支持部分９０が枢支（例えばピンにより）されていて端部フロアーボード１２ａの方向と適合可能であり、工具アセンブリー１０がフロアーボードに対して直角以外に配置されることを許容している。ここでは工具アセンブリー１０はこのようにして小さいスペース内で使用され、頭ユニット７６は面２０と直接衝合するように使用され得る（即ち頭伸長部３４無しで）。
【００４１】
有利には、工具アセンブリー１０は下にあるビーム内に固定されるよりもむしろ面に対して衝合させることにより投錨されるので、工具アセンブリー１０はフロアーの下方へ貫通可能な物を有する用途に限定されることは無く、かつこのようにして例えば、コンクリートスラブ上に敷かれたフロアーボード内でも使用可能である。工具アセンブリー１０の長さの範囲を提供する伸長部分およびアダプターのお陰で、工具アセンブリー１０はフロアーボードおよびアンカー面の間の間隔の範囲で使用可能である。
【００４２】
工具アセンブリーの上記例は単に例としてのみ記述されておりかつ修正は本発明の範囲内で可能である。図面内に示されている工具アセンブリー１０はカーペットストレッチャーから採用されたものであるが、他の例において工具アセンブリーは目的に合うように作られ得る。
【００４３】
図３ないし９は別の工具アセンブリー１１０を示しており、これは動力作動式である。示されている特定の例は空圧作動式であるが、当業者であれば空気圧の代わりにまたは空気圧に加えて他の動力作動式も使用され得ることは理解されるであろう。工具アセンブリー１１０は図１および２内に示されている工具アセンブリー１０内と同じ基本的概念を使用しており、ただ空気圧拡張ユニット１９２付きであり、このユニットはフロアーボード１１２を共に加圧するために第１部品１１４に対して第２部品１１６を動かす力を関節付きレバー機構２４の代わりに提供する。工具１１０の同様な部分は工具アセンブリー１０の記述に使用されたのと同様な関連符号が１００シリーズとして表示されている。
【００４４】
図３において、空気圧拡張ユニット１９２は作動用レバー１９４を備えておりかつ加圧空気を供給ホース１９６から受領する。作動用レバー１９４は（示されているような）中央位置へ付勢されており、そこでは第１部品１１４に対する第２部品１１６の位置は空気圧シリンダー１９８に対するバルブが閉塞されることによりロックされる。レバー１９４は前後に動かされてシリンダー１９８に対するバルブを選択的に開くことができ、シリンダー１９８のピストン２００を外方または内方へ動かし、このようにして工具アセンブリー１１０をそれぞれ伸長させまたは収縮させ得る。空気圧拡張ユニット１９２はレバー１９４の動作に対応してピストン２００が動く際に速さを変えるための速度調整手段を備えている。
【００４５】
頭部１２２は第２部品１１６に対して枢着されていて最端部フロアーボード１２ａの面に適合し、かつ１対の離れたアーム２０４を備えている。各アーム２０４は足指１４０の形の衝合部を備えておりこの足指は最端部フロアーボード１２ａと損傷無しの接触のための形状を備えている。アーム２０４間の間隔は下側にある面に対して最端部フロアーボード１１２ａの締着のための容易な接近を、例えば工具アセンブリーを取り外す前に舌を通して下側の面内に釘を差し込むことにより、可能にする。足指１４０はアーム２０４に対して介入フィットによりフィットさせられ、従って足指は取り外され、置き換えられかつ他の足指と交換されて互いに加圧されるべきフロアーボード１１２の特定のサイズおよび形状に適合される。これらの足指はポリウレタンから形成することができかつ、理想的には、一連の足指１４０が異なるサイズおよび輪郭形状とされて一般的に使用されるフロアーボードの異なるエッジ特性に適合される。
【００４６】
第１部品１１４は調整可能なスリーブ構造により伸長されまたは短縮され、上記の構造は図１および２の手動工具アセンブリー１０内のようなロック用ピン１６０を使用する。交換可能な長尺物２０６も工具アセンブリー１１０の更なる長さ調整のために備えられ得る。
【００４７】
工具アセンブリー１１０はハンドル２０２を備えており、これは描写された例では垂直棒の形に示されており、これは工具アセンブリー１１０の操作を容易にするためである。
【００４８】
図４において、アーム２０４はそれらの下側に垂直レール２０８を備えていて接着剤（示されていない）との接触を最小化し、この接着剤は、例えば“こてで接着剤を塗りつける”時に、フロアーボードへの接着のために地面２１０に対して供給され得る。
【００４９】
素速い解放機構が頭部１２２および脚部１１８を工具アセンブリー１１０の残部に対して連結しアダプター１７４およびアダプター脚部２１２の素速くかつ容易な除去および取り換えを容易にし、これは最端部フロアーボード１１２ａおよび面１２０の間の距離が工具アセンブリー１１０の長さより短い状況のためであり、それは例えば図５内に示されている通りである。アダプター脚部２１２を使用することにより工具アセンブリー１１０は図５ないし７内に示されているように基端モードで使用可能であり、そこではアダプター１７４の支持部１９０はアダプター脚部２１２に近接する。これは図３内に示されている末端モードと対比しており、そこでは頭部１２２はアンカー面１２０から工具アセンブリー１１０の拡張に充分な距離だけ隔てられている。有利には、基端および末端モードの双方において、工具アセンブリーは端部フロアーパネルおよびアンカー面１２０の間で作動可能であり、従って工具アセンブリーがいわゆる浮きフロアー形成に使用されることができ、その際連続したフロアーパネルを互いに下側にある物体内にねじ込んだり釘打ちすることなく使用可能である。
【００５０】
支持部分１９０はアダプター１７４に沿い、工具アセンブリーの両端部間で、ロックピン構造により、可動である。従って、工具アセンブリー１１０の使用は支持部分１９０が図７内に示されているようにアダプター脚部２１２のレベルへ接近するまで可能とされている。見得るように、有利には、工具アセンブリー１１０は支持部分１９０がアダプター脚部２１２の下側へ動いて工具アセンブリー１１０の限定されたスペース内での使用を許容するように構成されている。
【００５１】
図８において、工具アセンブリー１１０は頭伸長部１３４付きで使用され、工具アセンブリー１１０が湾曲フロアーボードを真っ直ぐに延ばす能力を増すためであり得る。頭伸長部１３４のアーム１３８は交換可能な足指１４０を備えており、それらの足指は上述のものと同じであり得る。
【００５２】
図９は空気圧ユニット１９２の詳細を示しており、これは工具アセンブリー１１０の他部品から取り外されている。
【００５３】
示されている工具アセンブリー１０、１１０は第１には金属で作られているが、別の例においては工具アセンブリーはプラスチック、黒鉛複合物、ポリウレタンおよび／または他の材料で作られ得ることは理解されるであろう。
【００５４】
当業者であれば、示されている例の上の記述がフロアーボードを互いに加圧する工具アセンブリーに関連してなされているが、工具アセンブリーが他のフロアーパネルを互いに加圧するために使用され得ることも理解されるであろう。そのようなフロアーパネルは、例えば、内側合致を要するフロアーパネルおよび“浮動”フロアーに使用されるベニヤタイプのフロアーパネルを含んでいる。
【００５５】
例
１つの例においては、工具アセンブリーは以下の部品を含んでいるキットとして販売される：
１ｘバッグ
１ｘ取り外し可能なトローリー
１ｘ制御レバー
１ｘシリンダー取付具
１ｘハンドル
伸長ポール：
２ｘ１５００ｍｍ
２ｘ１０００ｍｍ
１ｘ５５０ｍｍ
１ｘ３１０ｍｍ
１ｘ主頭部
１ｘ伸長頭部
１ｘ戻し棒頭部
１ｘ戻し棒（アダプター）
１ｘ壁脚部
１ｘ戻し脚部（アダプターと共に使用するための）
７ｘ連結ブロック（足指）“秘密爪”および従来型輪郭
（１セットが１９ｍｍ、２２ｍｍ、および２５ｍｍのフロアーボードにフィットする）
７ｘ連結ブロック（足指）爪および従来型輪郭を“隠す”ためのもの
（１セットが１０ｍｍおよび１２ｍｍに積層フィットする）
【００５６】
工具アセンブリーは以下の指示に従って操作される：
１．加圧開始に要するスパンの間隔を決定してどの工具アセンブリー要素を使用するかを決定する。例えば、もしスパンが６ｍであれば、１５００ｍｍの両伸長ポールは直列に使用され、各ポールは約３ｍだけ延ばされる。
伸長ポール内の孔は８０ｍｍ間隔で設けられている。空気圧ラムのストロークは約１００ｍｍである。工具アセンブリーは全てのボード幅で使用可能であること、各連続ボードのための１つの孔位置により伸長ポールの短縮化、またはボードが１６０ｍｍ幅より大きい幅の場合の２つの孔の位置により宣伝されてきた。
２．壁脚部を伸長ポールに対して取り付ける。壁脚部を壁に対してセットする時、壁加圧領域を横切りフロアーボードの全長を使用して壁の損傷を確実に無くする。これに失敗すると壁に対する損傷を生ずる。空気シリンダーを他端に対して取り付ける。
３．主頭部をラム上のヨークに対して取り付ける。
４．空気ラインを連結する前にコンプレッサー上のレギュレーターを１００ｐｓｉないし１３０ｐｓｉ（シリンダーは殆どの釘製造業者が同じ圧力で駆動されるように設計されている）にチェックしかつセットする。まずラム上で移行をテストする。バルブが空気で満たされた時ラムが素速く動き得るように気を付ける。ラムは輸出のために梱包される時にテストされかつセットされるので速度制御のための更なるセッテイングは必要でない（それらは緩やかに押し出されかつ速やかに逆転するようにセットされる）。
５．ボードをクランプするために、工具アセンブリーは所定位置に調整され、従ってプッシュ角はフロアーに対して約９０度となる。工具アセンブリーは依然としてフロアーボードを共に４５度以上に加圧するが、確実なセッテイングが見出されるまでスライドし得る。
【００５７】
６．適当な連結ブロックを選び、それらを主頭部上のスロット内へ押し込む。連結ブロックをフロアーボードの舌と整列させる。
７．作動用レバーは３つのセッテイング：前進、中央の停止、および後退、を備えている。ボードを安全に整列させるために、“停止ゴー”（即ち、ラムを繰り返し短い動きで動かす）が中央へ弾性付勢スイッチを操作することが最も良い方法である。ボードが連結されるまで短い前進の動きを繰り返す。フロアーボードの頂部を叩く必要があり、それはフロアー工具アセンブリーがボードを互いに加圧する際に整列を助けるためである。もしクランプ過剰が発生すると、ボードは上方へ上がるであろう。圧力を取り除きかつ主頭部上へ下向き荷重を加えかつ再び作業を進める。
８．ボードから釘を抜き、シリンダー上への後退レバーの使用を緩める。
９．もし必要であれば、同じフロアーボードに沿い工具アセンブリーを再配置する。伸長頭取付具は最も捻られかつ湾曲されたボードを平滑化するための臨時の圧力を許容するために備えられている。首尾良く使用するために第３ないし第９工程を繰り返す。
１０．ボードの次の列を準備し、伸長ポールを１ノッチだけ（もし適当ならばより多くを）後方へスライドさせる。ハンドル付きの場合は使用しない時に外へ取り出すことが容易である。必要とされるフロアーボードをクランプする。
【００５８】
１１．より短い伸長ポールで作業を継続し、それは主頭部を使用する空間が無くなるまでである。
１２．戻し棒（アダプター）を準備し、全ての伸長ポールを除去し、主頭部を外し、かつ戻し脚部をヨークに対して再び連結する。戻し棒をシリンダー取付具に対して連結しかつ戻し棒頭部を準備し、それはスライドにより直接押しかつロックし、引きかつ機構を所定位置へ回す。好適な連結ブロックに取り付けかつ工程７ないし工程１１を繰り返す。
１３．戻し棒頭部がその押し能力点に達すると、戻し棒頭部を工具アセンブリーの残部に対して反転させフロアーボードを共に引く（それらを共に押すのと反対に）。最後のフロアーボードに達するまで工程７ないし１１を繰り返す。
１４．フロアー工具アセンブリーでの作業を終了する。空気ホースを外しかつ取付具を分解する。キットを梱包する。
【図面の簡単な説明】
【００５９】
本発明は添付図面に関連して非限定の単なる例として記述されている。
【図１】フロアーボードを共に加圧するための手動操作工具アセンブリーの側方斜視図で、これは第１例によるものである。
【図２】図１の工具アセンブリーの側方斜視図で、アダプターを使用して一連のフロアーボードを共に加圧している処を示しており、工具アセンブリーのレバーは起立位置にある。
【図３】フロアーボードを共に加圧するための空気圧工具アセンブリーの側方斜視図で、これは第２例によるものである。
【図４】図３内に示されている工具の頭部の後方拡大斜視図である。
【図５】図３および４の工具アセンブリーの側方斜視図で、アダプターを使用して一連のフロアーボードを互いに加圧している処を示している。
【図６】図３および５の工具アセンブリーの側方斜視図で、逆配置されたアダプターを使用して一連のフロアーボードを共に加圧している処を示している。
【図７】図３および６の工具アセンブリーの頭部の頂部斜視図で、一連のフロアーボードの配置が殆ど完了している処を示している。
【図８】図３および７の工具アセンブリーの頂部後方斜視図で、頭部伸長部を使用してフロアーボードを共に加圧している処を示している。
【図９】図３および８内に示されている工具アセンブリーの空気圧ピストンおよびコントローラーの側方斜視図である。
【国際調査報告】
2008508455.tif 000012
2008508455.tif 000013
2008508455.tif 000014